(57)【特許請求の範囲】
【請求項１】
原稿の画像を読み取り、読み取った画像を記録シートに形成する画像形成装置であって、
前記原稿に装着された非接触型ＩＣタグに保持されているタグ情報を読み取り可能であるとともに、前記原稿の管理レベル情報を取得する管理レベル情報取得手段と、
非接触型ＩＣタグが装着されていない第１の記録シート、および装着されている非接触型ＩＣタグの個数が異なる複数の種類の第２の記録シートを収納する収納部と、
前記管理レベル情報取得手段によって取得された管理レベル情報に基づき、前記原稿に非接触型ＩＣタグが装着されていない第１の管理レベルであるか、非接触型ＩＣタグが装着されている原稿においてさらに複数の管理レベルを含む第２の管理レベルであるか判別する判別手段と、
前記判別手段によって、前記原稿の管理レベル情報が前記第１の管理レベルと判別された場合は、前記収容部から前記第１の記録シートを繰り出し、前記原稿の管理レベル情報が前記第２の管理レベルと判別された場合は、当該第２の管理レベルにおいて判別される管理レベルが高いほど、前記収容部から前記非接触型ＩＣタグの個数が多い第２の記録シートを繰り出す記録シート選択処理手段と、
前記記録シート選択処理手段によって前記第２の記録シートが繰り出される場合に、当該第２の記録シートに装着された非接触型ＩＣタグに、前記タグ情報を書き込むタグ情報書込手段と、
を備えることを特徴とする画像形成装置。
【請求項２】
前記画像形成装置は、前記原稿を載置する原稿トレイおよび前記原稿を原稿搬送路に沿って原稿読取位置へ搬送する原稿搬送手段を有するとともに、
前記管理レベル情報取得手段は前記原稿トレイまたは前記原稿搬送路近傍に配置されていることを特徴とする請求項１記載の画像形成装置。
【請求項３】
前記収納部は、前記各シートトレイに収納されている記録シートに前記非接触型ＩＣタグが装着されているか否かを検出するシートタグ検出手段を有し、
前記記録シート選択処理手段は、前記第２の管理レベルにおいて、前記シートタグ検出手段による検出結果に基づき、非接触型ＩＣタグが装着されていることが検出されたシートトレイから前記記録シートを前記第２の記録シートとして繰り出すことを特徴とする請求項１または２に記載の画像形成装置。
【発明の詳細な説明】
【技術分野】
【０００１】
本発明は、画像形成装置に関し、特に、管理レベル情報で管理される原稿の画像を読み取り、読み取った画像を記録シートに形成する画像形成装置に関する。
【背景技術】
【０００２】
企業等において原稿を機密管理するために、非接触型ＩＣタグを用いることが検討されている。すなわち、従来「社外秘」、「部外秘」等の、原稿に押印されたスタンプ等で表現されている管理レベル情報を、原稿に埋め込まれた非接触型ＩＣタグに記憶させて、原稿の機密管理を行おうというものである。
管理レベル情報を非接触型ＩＣタグに保持することにより、原稿本来の内容とは無関係な情報（すなわち、「社外秘」等の印影）がなくなることから、原稿が見易くなるといった利点がある。また、例えば、機密管理されている原稿が保管されている建物や部屋の出入り口にＩＣタグリーダーを設置して、ここを通過する原稿をチェックすることとすると、機密管理されている原稿の不正持ち出しを防止することもできる。
【０００３】
ところで、管理レベル情報を保持する非接触型ＩＣタグが埋め込まれた原稿を画像形成装置でコピーする場合、その管理レベル情報を記録シートにも持たせる（引き継がせる）必要がある。このため、非接触型ＩＣタグが装着された記録シートに原稿画像をコピーすると共に、原稿の非接触型ＩＣタグから管理レベル情報を読み出し、読み出した管理レベル情報を記録シートの非接触型ＩＣタグに書き込むといった処理がなされる。
【０００４】
また、非接触ＩＣタグが装着されていない原稿を、これから非接触型ＩＣタグを用いて機密管理しようとする場合に、当該原稿の画像を非接触型ＩＣタグが装着された記録シートにコピーすると共に、管理レベル情報を記録シートの非接触型ＩＣタグに書き込むといった処理が必要となることがある。
画像形成装置には、非接触型ＩＣタグが装着された記録シートの他に、このようなタグを有しない一般的な記録シートも収納されているのが通常であり、上記した処理を行うためには、コピーに際し、確実に非接触型ＩＣタグが装着された記録シートを選択する必要がある。また、機密管理をしない（すなわち、管理レベルの低い）原稿をコピーする場合には、一般的な記録シートを選択する必要がある。すなわち、原稿の管理レベルに応じて、使用する記録シートを選択する必要がある。
【０００５】
特許文献１には、コピーに用いる記録シートを非接触型ＩＣタグが装着されたものに制限する設定と当該設定の解除とが可能な操作パネルと、シートトレイから画像形成手段に至る記録シートの搬送路途中に設けられたＩＣタグリーダとを備える画像形成装置が開示されている。そして、当該画像形成装置では、操作パネルから前記制限が設定されている場合であって、シートトレイから送り出された記録シートに対する前記ＩＣタグリーダによる情報の読取がなされない場合（すなわち、シートトレイに非接触型ＩＣタグの装着されていない記録シートが収納されている場合）に、前記画像形成手段による画像形成（コピー）を停止するようにしている。
【０００６】
これにより、非接触型ＩＣタグの装着された記録シートにコピーすべき管理レベルの高い原稿が、誤って、非接触型ＩＣタグの装着されていない記録シートにコピーされてしまうといった事態が可能な限り回避されることとなる。
【特許文献１】特開２００５−２０８０９８号公報
【発明の開示】
【発明が解決しようとする課題】
【０００７】
しかしながら、特許文献１に記載の画像形成装置では、前記操作パネルから前記設定が解除されていると、非接触型ＩＣタグの装着されていない記録シートにコピーすべき管理レベルの低い原稿が、非接触型ＩＣタグの装着されている記録シートにコピーされかねない。非接触型ＩＣタグの装着されている記録シートは非接触型ＩＣタグの装着されていない記録シートよりも高価なので、このようなコピーは事務経費の不要な増大を招いてしまう。また、特許文献１においては、設定が解除されている場合は、管理レベルが高い原稿であっても無条件にコピーされてしまい、セキュリティ上問題が生じる。
【０００８】
上記した課題に鑑み、本発明は、原稿の管理レベルに応じて適切な記録シートを選択することができる画像形成装置を提供することを目的とする。
【課題を解決するための手段】
【０００９】
上記の目的を達成するため、本発明に係る画像形成装置は、原稿の画像を読み取り、読み取った画像を記録シートに形成する画像形成装置であって、前記原稿に装着された非接触型ＩＣタグに保持されているタグ情報を読み取り可能であるとともに、前記原稿の管理レベル情報を取得する管理レベル情報取得手段と、非接触型ＩＣタグが装着されていない第１の記録シート、および装着されている非接触型ＩＣタグの個数が異なる複数の種類の第２の記録シートを収納する収納部と、前記管理レベル情報取得手段によって取得された管理レベル情報に基づき、前記原稿に非接触型ＩＣタグが装着されていない第１の管理レベルであるか、非接触型ＩＣタグが装着されている原稿においてさらに複数の管理レベルを含む第２の管理レベルであるか判別する判別手段と、前記判別手段によって、前記原稿の管理レベル情報が前記第１の管理レベルと判別された場合は、前記収容部から前記第１の記録シートを繰り出し、前記原稿の管理レベル情報が前記第２の管理レベルと判別された場合は、当該第２の管理レベルにおいて判別される管理レベルが高いほど、前記収容部から前記非接触型ＩＣタグの個数が多い第２の記録シートを繰り出す記録シート選択処理手段と、前記記録シート選択処理手段によって前記第２の記録シートが繰り出される場合に、当該第２の記録シートに装着された非接触型ＩＣタグに、前記タグ情報を書き込むタグ情報書込手段とを備えることを特徴とする。
【発明の効果】
【００１０】
上記構成からなる画像形成装置によれば、非接触型ＩＣタグが装着された原稿における管理レベルが高いほど、装着された非接触型ＩＣタグの個数が多い第２の記録シートが繰り出され、原稿の非接触ＩＣタグから読み取られたタグ情報が、繰り出された記録シートの非接触型ＩＣタグに書き込まれることとなる。
【発明を実施するための最良の形態】
【００１７】
以下、本発明に係る画像形成装置の実施の形態について、タンデム型のカラーデジタル複写機を例にして説明する。
図１は、実施の形態に係るタンデム型カラーデジタル複写機２（以下、単に「複写機２」という。）の全体を表した概略構成図である。
複写機２は、大きく分けて、原稿画像を読み取るイメージリーダ部４とイメージリーダ部４で読み取られた画像を記録シート上にプリントして再現するプリンタ部６とから構成されている。
【００１８】
イメージリーダ部４は、自動原稿搬送装置（以下、「ＡＤＦ」という。）８とスキャナ１０とを有している。
ＡＤＦ８は、原稿トレイ１２にセットされた原稿を、繰出しローラ１４および捌きローラ１６により１枚ずつ分離して下方に送り、さらに搬送ベルト１８によってプラテンガラス２０上の原稿読取位置まで搬送する。この位置で原稿の画像が読み取られた後、ＡＤＦ８は、原稿を搬送ベルト１８により図の右方向に送り、排出ローラ２２によって原稿スタック部２４に排出する。
【００１９】
スキャナ１０は、露光ランプ２６と露光ランプ２６の照射による原稿からの反射光をプラテンガラス２０に平行な方向に光路変更するミラー２８とが組み込まれたキャリッジ３０を有しており、キャリッジ３０を図の矢印方向に移動させることによりプラテンガラス２０上の原稿をスキャンする。原稿からの反射光は、ミラー２８で反射された後、さらにミラー３２、３４で反射され、集光レンズ３６を介してＣＣＤカラーイメージセンサ（以下、単に「ＣＣＤセンサ」という。）３８へと導かれる。ＣＣＤセンサ３８は、導かれた反射光を電気信号に変換して画像データを生成する。
【００２０】
ＣＣＤセンサ３８の光電変換によって得られた画像データは、後述する制御部１３０の画像処理部１３６（図７）においてシェーディング等の各種データ処理を受け、更にイエロー（Ｙ），マゼンタ（Ｍ），シアン（Ｃ），ブラック（Ｋ）の各再現色の画像データに変換される。以下、イエロー、マゼンタ、シアン、ブラックの各再現色をＹ、Ｍ、Ｃ、Ｋと表し、各再現色に関連する構成部分の番号にこのＹ、Ｍ、Ｃ、Ｋを添字として付加する。
【００２１】
前記各再現色の画像データは、制御部１３０の後述する画像処理用データ記録部１４０（図７）に再現色ごとに格納され、記録シートの供給と同期した所定のタイミングで走査ラインごと読み出されて対応するＬＥＤアレイ４０Ｙ〜４０Ｋの駆動信号となる。
プリンタ部６は、周知の電子写真方式により画像を形成するものであって、転写ベルト４２と、転写ベルト４２を張架する駆動ローラ４４、従動ローラ４６、バックアップローラ４８、転写ベルト４２に対向して転写ベルト４２の走行方向に沿って所定間隔で配置されたＹ、Ｍ、Ｃ、Ｋの各色の作像ユニット５０Ｙ〜５０Ｋと、記録シートを給送する給紙部５２と、定着部５４とからなる。
【００２２】
各作像ユニット５０Ｙ〜５０Ｋは、像担持体である感光体ドラム５６Ｙ〜５６Ｋと感光体ドラム５６Ｙ〜５６Ｋ表面を露光走査するためのＬＥＤアレイ４０Ｙ〜４０Ｋの外に、公知の帯電チャージャ、現像器、クリーナ（いずれも符号不記入）、および１次転写ローラ５８Ｙ〜５８Ｋなどを有する。
給紙部５２は、種類の異なる記録シートをその種類毎に収納する複数の（本例では、２個の）第１、第２シートトレイ６０，６２と、この記録シートを各シートトレイから繰り出すための第１、第２ピックアップローラ６４，６６と、繰り出された記録シートを後述する２次転写ローラ７４へと搬送する第１〜第３搬送ローラ６８，７０，７２などからなる。なお、第１ピックアップローラ６４は第１ピックアップモータ６５（図７）で、第２ピックアップローラ６６は第２ピックアップモータ６７（図７）で、第１〜第３搬送ローラ６８，７０，７２は搬送モータ７３（図７）でそれぞれ駆動される。記録シートの種類については後述する。
【００２３】
感光体ドラム５６Ｙ〜５６Ｋは、ＬＥＤアレイ４０Ｙ〜４０Ｋによる露光を受ける前にクリーナで表面の残存トナーが除去された後、帯電チャージャにより一様に帯電されており、このように一様に帯電した状態で上記レーザ光による露光を受けると、感光体ドラム５６Ｙ〜５６Ｋの表面に静電潜像が形成される。
各静電潜像は、それぞれ各色の現像器により現像され、これにより感光体ドラム５６Ｙ〜５６Ｋ表面にＹ，Ｍ，Ｃ，Ｋのトナー像が形成され、各転写位置において転写ベルト４２の内周面側に配設された１次転写ローラ５８Ｙ〜５８Ｋの静電的作用により、転写ベルト４２の外周面上に順次転写されていく。
【００２４】
この際、各色の作像動作は、そのトナー像が、走行する転写ベルト４２の同じ位置に重ね合わせて転写されるようにすべく、上流側から下流側に向けてタイミングをずらして実行される。
一方、給紙部５２からは、上記した転写ベルト４２への作像タイミングに合わせて、所望の種類の記録シートが給紙され、２次転写ローラ７４とバックアップローラ４８とが対向する位置（以下、「２次転写位置」と言う。）へと搬送される。
【００２５】
当該２次転写位置において、２次転写ローラ７４の静電的作用により、転写ベルト４２上のトナー像が記録シートへ再転写（２次転写）される。なお、２次転写ローラ７４は、スポンジ状をした導電性弾性部材で形成されている。
トナー像が転写された記録シートは、転写ベルト４２により定着部５４にまで搬送される。定着部５４の定着ローラ７６は内部ヒータ（不図示）を備え、記録シートは、ここにおいて高熱下で加圧され、その表面のトナー粒子がシート表面に融着して定着された後、排出ローラ７８によってシートスタック部８０に排出される。
【００２６】
複写機２では、図２（ａ）に示すような、用紙に非接触型ＩＣタグ８２が装着された（埋め込まれた）原稿Ｄが、そのような非接触型ＩＣタグ８２の装着されていない一般原稿に加えて、読み取り対象となる。非接触型ＩＣタグ８２を有する原稿を「タグ付原稿」と称し、非接触型ＩＣタグ８２を「原稿タグ８２」と称することとする。
原稿タグ８２には、その原稿の機密度に応じて設定される管理レベルを示す情報が記憶されている。本例では、管理レベル情報として、「重要」が記憶されており、この原稿は管理レベル１として管理される。一方、一般原稿（以下、「タグ無し原稿」とも称する。）は、管理レベル１よりも機密度の低い管理レベル０として管理されている。すなわち、本例では、読み取り対象となる原稿は、非接触型ＩＣタグが装着されているか否によって異なる管理レベルに規定されている。
【００２７】
図１に戻り、ＡＤＦ８には、原稿タグ８２を検出すると共に、原稿タグ８２から管理レベル情報を読み出すＩＣタグリーダ（以下、「原稿タグリーダ」という。）８４，８６が備えられている。原稿タグリーダ８４，８６は、原稿の搬送路近傍であって、捌きローラ１６の下流側直後に設けられている。なお、このように捌きローラ１６の下流側に原稿タグリーダ８４，８６を設けたのは、原稿１枚毎に、その機密度に応じて設定される管理レベルを判断するためである。勿論、原稿タグリーダを、原稿トレイ１２にセットされた原稿の非接触ＩＣタグを検出できるように、例えば、原稿トレイ１２の下方に設けても良い。
【００２８】
図３は、ＡＤＦ８の一部分を示す平面図である。図２は、タグ付原稿Ｄが原稿トレイ１２にセットされた状態を示している。２個の原稿タグリーダの内、原稿タグリーダ８４は装置手前側に、原稿タグリーダ８６は装置奥側にそれぞれ設けられている。このように２個設けるのは、原稿タグ８２が装置手前側になるようにタグ付原稿Ｄがセットされた場合であっても、図３に示すように原稿タグ８２が装置奥側になるようにタグ付原稿Ｄがセットされた場合であっても、原稿タグ８２を検出し、タグ情報を読み取れるようにするためである。
【００２９】
原稿タグリーダ８４，８６は、原稿タグ８２と無線通信を行うと共に必要な情報を読み出す機能を有するものであり、送受信用アンテナとコントロールＩＣからなる公知の構成を有している。原稿タグリーダ８４，８６は、短い周期で定期的にリクエスト信号を発し、原稿タグ８２が無線通信可能範囲に入ると、原稿毎にその原稿タグ８２からの当該リクエスト信号に対する応答信号を受信することで、原稿タグ８２を検出すると共に通信を行い、その検出結果（通信の可否）と読み出した情報を、後述するシート搬送／画像形成制御部１３０（図７）に送る。
【００３０】
また、複写機２では、図２（ａ）に示すような、用紙に非接触型ＩＣタグ８８が装着された（埋め込まれた）記録シートＳが、そのような非接触型ＩＣタグ８８の装着されていない記録シート（以下、「タグ無し記録シート」という。）に加えて、画像形成の対象となる。非接触型ＩＣタグ８８を有する記録シートを「タグ付記録シート」と称し、非接触型ＩＣタグ８８を「シートタグ８８」と称することとする。
【００３１】
図１に戻り、タグ付記録シートとタグ無し記録シートとは、第１シートトレイ６０と第２シートトレイ６１とに区分けされて、それぞれ収納される。いずれの記録シートをいずれのシートトレイに収納しても構わない。各シートトレイに収納されているのが、タグ付記録シートであるのかタグ無し記録シートであるのかを検出するためのＩＣタグリーダ９０，９２，９４，９６が設けられている。
【００３２】
図４は、給紙部５２の構成の一部を表した斜視図である。
第１シートトレイ６０に対応させてＩＣタグリーダ（以下、「第１トレイ・シートタグリーダ」という。）９０，９２が、第２シートトレイ６２に対応させてＩＣタグリーダ（以下、「第２トレイ・シートタグリーダ」という。）９４，９６がそれぞれ設けられている。各シートトレイ共に、２個のシートタグリーダを、それぞれ装置手前側と装置奥側とに設けたのは、原稿タグリーダ８４，８６（図３）の場合と同様な理由からである。すなわち、シートタグ８８が装置手前側になるようにタグ付記録シートＳがセットされた場合であっても、図４に示すようにシートタグ８８が装置奥側になるようにタグ付記録シートＳがセットされた場合であっても、シートタグ８８を検出できるようにするためである。
【００３３】
タグ付記録シートとタグ無し記録シートは、原則として、以下のように使い分けられる。すなわち、読み取る原稿がタグ付原稿の場合は、タグ付記録シートが用いられ、読み取る原稿がタグ無し原稿の場合は、タグ無し記録シートが用いられる。
そして、タグ付記録シートＳのシートタグ８８には、タグ付原稿Ｄの原稿タグ８２から読み取った管理レベル情報が書き込まれる。シートタグ８８を検出すると共に、前記管理レベル情報をシートタグ８８に書き込むためのＩＣタグライター（以下、単に「タグライター」という。）９８，１００が設けられている。タグライター９８，１００は、記録シート搬送路に近傍であって、第１搬送ローラ６８と第２搬送ローラ７０の間に設けられている（図１）。タグライター９８，１００をそれぞれ、装置手前側と装置奥側とに設けた理由は、上述したシートタグリーダの場合と同様なので省略する。
【００３４】
なお、後述するように、タグ無し原稿（一般原稿）の場合でも、当該原稿の画像を再現する記録シートとしてタグ付記録シートＳを用い、そのシートタグ８８に管理レベル情報を書きこみ、管理レベルを上げて以降の管理ができるようになっている。この場合には、タグ無し原稿の場合であっても、タグ付記録シートが用いられる。
図１に戻り、複写機２は、その上面の操作しやすい位置に操作パネル１０２を備えている。
【００３５】
図５に操作パネル１０２の平面図を示す。操作パネル１０２は、液晶タッチパネル１０４の他各種のキーを有している。液晶タッチパネル１０４には、設定中のコピー条件やコピーモード、コピー条件やコピーモードを選択するためのキー、および用紙切れや紙詰まりなどの各種エラーメッセージが表示される。テンキー１０６はコピー枚数を設定するためのキーであり、クリアキー１０８はコピー枚数を「１」にリセットするためのキーである。カラーコピースタートキー（以下、「カラーキー」と言う。）１１０は、カラーコピー動作（原稿をカラーで読み取って、カラーでプリントする動作）を開始させるためのキーであり、モノクロコピースタートキー（以下、「モノクロキー」と言う。）１１２は、モノクロコピー動作（原稿をモノクロで読み取って、モノクロでプリントする動作）を開始させるためのキーである。なお、カラーキー１１０、モノクロキー１１２を区別しない場合は、単に「コピースタートキー」と言うこととする。ストップキー１１４は、ＡＤＦ８による原稿搬送を停止させたり（原稿の読取を停止させたり）、コピー動作を停止させるためのキーである。パネルリセットキー１１６は、コピー濃度やコピー倍率などのコピー条件や設定モードをすべて標準値に戻すためのキーである。
【００３６】
液晶タッチパネル１０４の基本画面に表示される管理レベル設定キー１１８は、上述したように、タグ無し原稿の画像をタグ付記録シートにコピーして、そのシートタグに管理レベル情報を書き込む際に選択（押下）するキーである。管理レベル情報キー１１８が押下されると、液晶タッチパネル１０４は、図６（ａ）に示すような表示画面に切り替わる。
【００３７】
ここで、重要原稿キー１２０は、記録シートにタグ付記録シートを用い、そのシートタグに管理レベル情報「重要」を書き込む場合に選択（押下）するキーである。一般原稿キー１２２は、記録シートにタグ無し記録シートを用いる場合に選択（押下）するキーである。読み取るべき原稿の管理レベルを「１」として扱う場合には、重要原稿キー１２０が
選択され、読み取るべき原稿の管理レベルを「０」として扱う場合には、一般原稿キー１２２が選択される。この意味で、操作パネル１０２は、読み取るべき原稿の管理レベルをユーザから受け付ける受付手段として機能する。
【００３８】
確定キー１２４は、重要原稿キー１２０か一般原稿キー１２２の選択状態を確定するためのキーであり、戻るキー１２６は、液晶タッチパネル１０４の表示画面を基本画面（図５）に戻すためのキーである。
図７は、複写機２の制御部１３０の構成を示すブロック図である。
制御部１３０は、主な構成要素として、原稿給送／画像読取制御部１３２、シート搬送／画像形成制御部１３４、画像処理部１３６、画像処理用データ記録部１４０を備えている。
【００３９】
原稿給送／画像読取制御部１３２は、ＡＤＦ８とスキャナ１０とからなるイメージリーダ部４を統括的に制御して、原稿画像の円滑な読取動作を実現する。また、原稿給送／画像読取制御部１３２は、操作パネル１０２を介してなされる各種の設定を受け付ける。原稿給送／画像読取制御部１３２は、図８（ａ）に示すように、その内部に、操作パネル１０２の図６（ａ）に示す表示画面において、ユーザから受け付けたのが「重要原稿（管理レベル１）」なのか「一般原稿（管理レベル０）」なのかを保持する管理レベル保持部１３２Ａを有している。また、原稿給送／画像読取制御部１３２は、同図に示すように、「重要原稿」であるとユーザから指定された原稿がコピーされるタグ付記録シートのシートタグに書き込むべき管理レベル情報を記憶する管理レベル情報記憶部１３２Ｂを有する。
【００４０】
図７に戻り、シート搬送／画像形成制御部１３４は、原稿タグリーダ８４，８６、第１トレイ・シートタグリーダ９０，９２、第２トレイ・シートタグリーダ９４，９６をオン・オフ制御すると共に、これらのタグリーダによる検出結果等を参照しながら、プリンタ部６を統括的に制御して、円滑な画像形成動作を実現する。また、シート搬送／画像形成制御部１３４は、図８（ｂ）に示すように、原稿タグから読み出したタグ情報を一時的に記憶する原稿タグ情報記憶部１３４Ａを内部に有する。さらに、シート搬送／画像形成制御部１３４は、タグライター９８，１００を介して、タグ付記録シートＳのシートタグ８８に必要な情報を書き込む。シート搬送／画像形成制御部１３４は、シートタグ８８に情報を書き込むべきときにオンされるタグ情報書き込みフラグ１３４Ｂを内部に有している。
【００４１】
図７に戻り、画像処理部１３６は、スキャナ１０から画像バスライン１３８を介して画像データを受信すると、上記したようにシェーディング等各種データ処理を施すと共にＹ、Ｍ、Ｃ、Ｋの再現色の画像データに変換して画像処理用データ記録部１４０に格納させる。また、画像処理用データ記録部１４０から画像データを読み出すと、読み出した画像データに基づいてＬＥＤアレイ５０Ｙ〜５０Ｋの駆動信号を生成してＬＥＤアレイ５０Ｙ〜５０Ｋを駆動させる。
【００４２】
続いて、図９〜図１２に示すフローチャートを参照しながら、制御部１３０における、画像形成に供すべき種類の記録シートの選択処理、およびタグ付記録シートのシートタグへの原稿管理レベル情報書き込み処理について説明する。
先ず、図９に示すように、シート搬送／画像形成制御部１３４は、原稿給送／画像読取制御部１３２からコピーキーの押下がなされたことが通知されると（ステップＳ２でＹＥＳ）、原稿タグリーダ８４，８６をオンして原稿タグの検出を行う（ステップＳ４）。
【００４３】
原稿タグが検出されると（ステップＳ４でＹＥＳ）、その原稿タグに記憶されているタグ情報を読み出して、原稿タグ情報記憶部１３４Ａ（図８（ｂ））に記憶する（ステップＳ６）と共に、タグ情報書き込みフラグ１３４Ｂ（図７）をオンにして（ステップＳ８）、タグ付記録シート選択処理（ステップＳ１０）に進む。これにより、タグ付原稿の場合は、確実にタグ付記録シートが選択されることとなる。
【００４４】
一方、ステップＳ４で原稿タグが検出されなかった場合（ステップＳ４でＮＯ）、シート搬送／画像形成制御部１３４は、原稿給送／画像読取制御部１３２内の管理レベル保持部１３２Ａ（図８（ａ））を参照して、「重要原稿」が設定されているか「一般原稿」が設定されているかの判断を行う（ステップＳ１２）。
「重要原稿」が設定されている場合は（ステップＳ１２でＹＥＳ）、ステップＳ８、Ｓ１０へ進む。この処理により、タグ無し原稿の場合であっても（ステップＳ４でＮＯ）、ユーザが希望する場合は、タグ付記録シートを選択し、そのシートタグにタグ情報（原稿管理レベル情報）を書き込む処理へと移行することができる。
【００４５】
「一般原稿」が設定されている場合は（ステップＳ１２でＮＯ）、タグ無し記録シート選択処理（ステップＳ１４）に進む。
図１０は、タグ付き記録シート選択処理（ステップＳ１０）の詳細を示すフローチャートである。
シート搬送／画像形成制御部１３４は、先ず、第１トレイ・シートタグリーダ９０，９２（図１、図７）によるシートタグの検出を試みる（ステップＳ２０）。その結果、シートタグが検出されれば（ステップＳ２０でＹＥＳ）、第１ピックアップモータ６５（図７）を起動して第１シートトレイ６０（図１）からタグ付記録シートを繰り出す（ステップＳ２２）。
【００４６】
第１トレイ・シートタグリーダ９０，９２によってシートタグが検出されない場合は（ステップＳ２０でＮＯ）、第２トレイ・シートタグリーダ９４，９６（図１、図７）によるシートタグの検出を試みる（ステップＳ２４）。その結果、シートタグが検出されれば（ステップＳ２４でＹＥＳ）、第２ピックアップモータ６７（図７）を起動して第２シートトレイ６２（図１）からタグ付記録シートを繰り出す（ステップＳ２６）。
【００４７】
以上、ステップＳ２０，Ｓ２２，Ｓ２４，Ｓ２６の処理によって、第１、第２シートトレイ６０，６２のいずれにタグ付記録シートが収納されている場合であっても、タグ付記録シートが確実に選択されることとなる。すなわち、ユーザは、タグ付記録シートを収納すべきシートトレイを意識することなく任意に選んだシートトレイにタグ付記録シートを収納することができる。
【００４８】
いずれのシートタグリーダによってもシートタグが検出されなかった場合は（ステップＳ２０，Ｓ２４で共にＮＯ）、どちらのシートトレイにもタグ付記録シートが収納されていないことになるので、シート搬送／画像形成制御部１３４は、その旨のエラー表示指示を原稿給送／画像読取制御部１３２に行う（ステップＳ２８）と共に、一連の処理を中止する（図１２）。なお、当該通知を受けた原稿給送／画像読取制御部１３２は、操作パネル１０２の液晶タッチパネル１０４に「タグ付記録シートが収納されていない」旨のエラー表示を行う。
【００４９】
図１１は、タグ無し記録シート選択処理（ステップＳ１４）の詳細を示すフローチャートである。
シート搬送／画像形成制御部１３４は、先ず、第１トレイ・シートタグリーダ９０，９２（図１、図７）によるシートタグの検出を試みる（ステップＳ３０）。その結果、シートタグが検出されなければ（ステップＳ３０でＮＯ）、第１シートトレイ６０（図１）にタグ無し記録シートが収納されているとみなせるので、第１ピックアップモータ６５（図７）を起動して第１シートトレイ６０からタグ無し付記録シートを繰り出す（ステップＳ３２）。
【００５０】
第１トレイ・シートタグリーダ９０，９２によってシートタグが検出された場合は（ステップＳ３０でＹＥＳ）、第２トレイ・シートタグリーダ９４，９６（図１、図７）によるシートタグの検出を試みる（ステップＳ３４）。その結果、シートタグが検出されなければ（ステップＳ３４でＮＯ）、第２シートトレイ（図１）にタグ無し記録シートが収納されているとみなせるので、第２ピックアップモータ６７（図７）を起動して第２シートトレイ６２からタグ付記録シートを繰り出す（ステップＳ３６）。
【００５１】
以上、ステップＳ３０，Ｓ３２，Ｓ３４，Ｓ３６の処理によって、第１、第２シートトレイ６０，６２のいずれにタグ無し記録シートが収納されている場合であっても、タグ無し記録シートが確実に選択されることとなる。
いずれのシートタグリーダによってもシートタグが検出された場合は（ステップＳ３０，Ｓ３４で共にＹＥＳ）、どちらのシートトレイにもタグ無し記録シートが収納されていないことになるので、シート搬送／画像形成制御部１３４は、その旨のエラー表示指示を原稿給送／画像読取制御部１３２に行う（ステップＳ３８）と共に、一連の処理を中止する（図１２）。なお、当該通知を受けた原稿給送／画像読取制御部１３２は、操作パネル１０２の液晶タッチパネル１０４に「タグ無し記録シートが収納されていない」旨のエラー表示を行う。
【００５２】
以上一連の処理によって、タグ付記録シートかタグ無し記録シートのいずれかが選択されると、図１２に示すフローチャートの処理に進む。
先ず、シート搬送／画像形成制御部１３４は、タグ情報書き込みフラグ１３４Ｂ（図７）をチェックする（ステップＳ４０）。
その結果、タグ情報書き込みフラグがオフ状態の場合（ステップＳ４０でＮＯ）、すなわち、タグ無し記録シートが選択されている場合は、図９〜図１２で示す一連の処理を終了する。この場合は、タグ無し記録シートに、読み取られた原稿画像が形成されることとなる。
【００５３】
一方、タグ情報書き込みフラグがオン状態である場合（ステップＳ４０でＹＥＳ）、すなわち、タグ付記録シートが選択されている場合、シート搬送／画像形成制御部１３４は、タグライター９８，１００をオンして、搬送されるタグ付記録シートのシートタグを検出する（ステップＳ４２）。
そして、シートタグが検出されると（ステップＳ４２でＹＥＳ）、原稿タグ情報記憶部１３４Ａ（図８（ｂ））に原稿タグ情報が記憶されているか否かをチェックする（ステップＳ４４）。
【００５４】
原稿タグ情報が記憶されていれば（ステップＳ４４でＹＥＳ）、その原稿タグ情報を読み出して、読み出した原稿タグ情報をステップＳ４２で検出したシートタグに書き込む（ステップＳ４６）。これにより、原稿タグ情報がシートタグに引き継がれることとなる。
原稿タグ情報のシートタグへの書き込みが終了すると、原稿タグ情報記憶部１３４Ａから原稿タグ情報を消去する（ステップＳ４８）。
【００５５】
一方、原稿タグ情報記憶部１３４Ａに原稿タグ情報が記憶されていない場合は（ステップＳ４４でＮＯ）、シート搬送／画像形成制御部１３４は、原稿給送／画像読取制御部１３２の管理レベル情報記憶部１３２Ｂ（図８（ａ））から、管理レベル情報を読み出し、読み出した管理レベル情報をステップＳ４２で検出したシートタグに書き込む（ステップＳ５０）。これにより、タグ無し原稿の画像を形成するタグ付記録シートにも、原稿管理レベル情報を書き込むことができる。
【００５６】
ステップＳ４８またはステップＳ５０の処理が終了すると、タグ情報書き込みフラグ１３４Ｂ（図８（ｂ））をオフにして（ステップＳ５２）、一連の処理を終了する。
ここまで、本発明を実施の形態に基づいて説明してきたが、本発明は上記した形態に限らないことは勿論であり、例えば、以下のような形態とすることもできる。
（１）上記実施の形態では、タグ付原稿であれば、操作パネルで受け付けた設定に関わらず（重要原稿であるか一般原稿であるかに関わらず）、タグ付記録シートを選択し（図９参照）、当該タグ付記録シートに原稿タグから読み取った管理レベル情報を書き込むこととした。すなわち、操作パネルから取得する管理レベル情報よりも、原稿から取得する管理レベル情報（原稿タグの有無）を優先させて、記録シートを選択することとしたが、この反対に、操作パネルから取得する管理レベル情報の方を優先させて、記録シートの選択をすることとしても構わない。
【００５７】
そのようにする場合は、図９に示すフローチャートに代えて図１３に示すフローチャートに従う処理を実行することとする。図１３に示すフローチャートは、図９に示すフローチャートにおける個々の処理ステップの実行順序を入れ替えただけなので、図９と同様の処理内容のステップには同じステップ番号を付して、個々の詳細な説明については省略する。
【００５８】
図１３に示すフローチャートでは、操作パネルを介して「重要原稿」が設定されていれば（ステップＳ１２でＹＥＳ）、原稿タグの検出を行わずに、タグ付記録シートを選択する（ステップＳ１０）こととしている。そして、そのシートタグには、管理レベル情報記憶部１３２Ｂ（図８（ａ））から読み出された管理レベル情報が書き込まれることとなる（ステップＳ５０）。
【００５９】
このようにすることにより、タグ付原稿であっても、その原稿タグに記憶されているのとは異なる管理レベル情報（管理レベル情報記憶部１３２Ｂに記憶されている管理レベル情報）をタグ付記録シートのシートタグに書き込むことが可能となる。
（２）上記実施の形態では、原稿に非接触型ＩＣタグが装着されているか否かによる２段階の管理レベルで原稿を機密管理する例を示した。しかしながら、原稿の管理レベルは２段階に限らず任意の複数段階とすることも可能である。
【００６０】
例えば、管理レベルを４段階にした例を以下に示す。この場合、管理レベル情報として、「重要」（管理レベル１）よりも機密度の高い、「中重要」（管理レベル２）、「最重要」（管理レベル３）の二つを加える。そして、原稿タグに、この３個の管理レベル情報のいずれか一つを保持させて原稿の機密管理を行う。なお、タグ無し原稿は、上記実施の形態と同様、管理レベル０として管理される。
【００６１】
また、記録シートの種類も、図２（ａ）に示すシートタグ８８が１個装着されたものから、同（ｂ）に示す２個装着されたものと、図（ｃ）に示す３個装着されたものの２種類を追加する。
さらに、この追加した２種類のタグ付記録シートも区分けして収納できるように、シートトレイを２個（２段）追加する（不図示）。４個のシートトレイ各々に対応して設けられるシートタグリーダも、図４に一点鎖線で示すように１個増設して（シートタグリーダ１４２，１４４）３個とする。この３個のシートタグリーダでシートタグを検出し、検出したシートタグの個数から、いずれの種類の記録シートが対応するシートトレイに収納されているのかの判断が可能となる。
【００６２】
また、同様に、シートタグに管理レベル情報を書き込むためのタグライターも、図４に一点鎖線で示すように１個増設する（タグライター１４６）。
そして、タグ付原稿の原稿タグから読み出した管理レベル情報が、「重要」の場合はシートタグ１個のタグ付記録シートを、「中重要」の場合はシートタグ２個のタグ付記録シートを、「最重要」の場合はシートタグ３個のタグ付記録シートをそれぞれ選択することとする。また、タグ無し原稿の場合は、タグ無し記録シートを選択することとする。
【００６３】
このようにするのは、非接触型ＩＣタグが万一故障する場合を想定し、原稿の機密度が高くなる程、記録シートにおける非接触型ＩＣタグの個数を増やすことによって、確実に記録シートに原稿の管理レベル情報を持たせることができるようにするためである。
また、追加した「中重要」（管理レベル２）、「最重要」（管理レベル３）を操作パネルからも設定できるようにしてもよい。図６（ｂ）は、そのようにした場合の液晶タッチパネル１０４の表示画面である。本図に示すように、中重要原稿キー１４８と最重要原稿キー１５０を追加した構成としている。なお、図６（ｂ）に示す画面は、図６（ａ）に示す画面と同様、基本画面（図５）において「管理レベル設定キー」を押下することによって切替表示される。
【００６４】
そして、管理レベル保持部１３２Ａ（図８（ａ））は、操作パネル１０２の図６（ｂ）に示す表示画面において、ユーザから受け付けたのが「一般原稿」、「重要原稿」、「中重要原稿」、「最重要原稿」のいずれの管理レベルなのかを保持するようにする。また、管理レベル情報記憶部１３２Ｂには、ユーザから指定される４段階の前記各管理レベルに対応させて、タグ付記録シートのシートタグに書き込むべき管理レベル情報を記憶させる。
【００６５】
原稿の管理レベルに関し、操作パネルからなされる設定が採用される場合、管理レベル保持部１３２Ａで保持されているのが、「一般原稿」の場合はタグ無し記録シートを、「重要」の場合はシートタグ１個のタグ付記録シートを、「中重要」の場合はシートタグ２個のタグ付記録シートを、「最重要」の場合はシートタグ３個のタグ付記録シートをそれぞれ選択することとする。また、選択されたタグ付記録シートの各シートタグには、管理レベル情報記憶部１３２Ｂに記憶されている管理レベル情報の内、管理レベル保持部１３２Ａで保持されている管理レベルに対応する管理レベル情報を書き込むこととする。
【００６６】
なお、図２（ｃ）に示す記録シートに画像形成されたものが、原稿として読み取り対象となる場合を想定して、図３に一点鎖線で示すように、ＩＣタグリーダ（原稿タグリーダ１５２）を追加してもよい。
（３）ここまでは、原稿から取得する場合における管理レベルは、原稿タグの有無、または、原稿タグの保持する管理レベル情報によって定められていた。しかしながら、これに限らず、原稿画像と重ならない領域に印刷されたバーコードや原稿画像に重ねて印刷された地紋から管理レベルを取得するようにしても構わない。すなわち、バーコードや地紋によって管理レベルを表現し、当該バーコードや地紋を原稿画像と共にスキャナで読み取ることによって、管理レベル情報を取得するようにするのである。
【００６７】
読み取った画像から地紋パターンを抽出する技術は、例えば、特開２００１−１９７２９７号公報、特開２００４−２０２０６８号公報、特開２００４−２２８８９７号公報に開示されているように公知のものなので、その説明については省略する。
（４）上記実施の形態では、原稿の管理レベル情報を取得する手段として、原稿タグリーダを用いたものと操作パネルを用いたものの２つの構成を設けることとしたが、これに限らず、操作パネルを用いた構成を廃し、原稿タグリーダを用いた構成のみとしても構わない。このようにすることにより、人為的なミスを完全に排除した形での記録シートの種類の選択がなされることとなる。
（５）上記実施の形態では、各シートトレイ６０，６２に収納されている記録シートがタグ付きか否かを検出するために、ＩＣタグリーダ９０，９２，９４，９６を設けることにより、その検出を確実に行うことができるが、操作パネル等から、第１シートトレイ６０、第２シートトレイ６２各々に収納されている記録シートにＩＣタグがついているか否かを設定できるようにし、その設定内容に基づいて、給紙する記録シートを選択するようにしてもよい。
【産業上の利用可能性】
【００６８】
本発明に係る画像形成装置は、例えば、原稿の管理レベルに応じて、画像形成に供すべき記録シートを選択する複写機に好適に利用可能である。
【図面の簡単な説明】
【００６９】
【図１】実施の形態に係る複写機の全体を表した概略構成図である。
【図２】（ａ）は、上記複写機に使用されるタグ付原稿またはタグ付記録シートを表す図であり、（ｂ）、（ｃ）は、変形例に係るタグ付記録シートを表す図である。
【図３】上記複写機の有するＡＤＦの一部を示す平面図である。
【図４】上記複写機における給紙部の構成の一部を表した斜視図である。
【図５】上記複写機の有する操作パネルの平面図である。
【図６】（ａ）は、上記操作パネルの液晶タッチパネルにおける表示画面の一例を示す図であり、（ｂ）は、変形例における同表示画面の一例を示す図である。
【図７】上記複写機の制御部の構成を示すブロック図である。
【図８】（ａ）は、上記制御部を構成する原稿給送／画像読取制御部における管理レベル保持部と管理レベル情報記憶部を表す図であり、（ｂ）は、同じく制御部を構成するシート搬送／画像形成制御部における原稿タグ情報記憶部とタグ情報書き込みフラグとを表す図である。
【図９】上記制御部で実行される処理の内容を示すフローチャートの一部である。
【図１０】上記制御部で実行される処理の内容を示すフローチャートの一部である。
【図１１】上記制御部で実行される処理の内容を示すフローチャートの一部である。
【図１２】上記制御部で実行される処理の内容を示すフローチャートの一部である。
【図１３】上記制御部で実行される処理の内容を示すフローチャートの一部であって、変形例に係るものである。
【符号の説明】
【００７０】
２    タンデム型カラーデジタル複写機
６０，６２    シートトレイ
８２    非接触型ＩＣタグ（原稿タグ）
８４，８６    ＩＣタグリーダ（原稿タグリーダ）
８８    非接触型ＩＣタグ（シートタグ）
９０，９２，９４，９６，１４２，１４４    シートタグリーダ
９８，１００，１４６    ＩＣタグライター
１０２    操作パネル
１３０    制御部
１３２    原稿給送／画像読取制御部
１３４    シート搬送／画像形成制御部
【図１】
0004404059.tif 000002
【図２】
0004404059.tif 000003
【図３】
0004404059.tif 000004
【図４】
0004404059.tif 000005
【図５】
0004404059.tif 000006
【図６】
0004404059.tif 000007
【図７】
0004404059.tif 000008
【図８】
0004404059.tif 000009
【図９】
0004404059.tif 000010
【図１０】
0004404059.tif 000011
【図１１】
0004404059.tif 000012
【図１２】
0004404059.tif 000013
【図１３】
0004404059.tif 000014